(57)【要約】      （修正有） 【課題】電池の持ちが長くなるようにした金属探知器を提供する。  【解決手段】前部下面に平坦な探知面を有し、後部に設けた保持部の下面にスライド式の電池蓋を有して内部に電池を収容する電池ボックスを有した合成樹脂製のハウジング内に、電源部２１と、ＭＯＳ−ＦＥＴを使用した逆電圧遮断回路からなる保護回路２２と、探知面の内面に設けたセンサー部２６と、センサー部の出力を検出する検出部２７を設ける。検出部に接続したＬＥＤ及びブザーはスイッチを介してアラーム・表示部２８に接続されている。ＭＯＳ−ＦＥＴによる逆電圧遮断回路からなる保護回路を使用することで、電池電圧が低くなった場合、電源ＯＮ後の使用時間がダイオードを使用した保護回路に比べて長持ちする。【選択図】図４
0003213080.tif 000002
【実用新案登録請求の範囲】
【請求項１】
前部下面に平坦な探知面（３）を有し、後部に設けた保持部（４）の下部にスライド式の電池蓋（１１）を有して内部に電池を収容する電池ボックス（１２）を有してなる合成樹脂製のハウジング（２）内に、ＭＯＳ−ＦＥＴを使用した逆電圧遮断回路からなる保護回路（２２）を有する電源部（２１）と、前記探知面（３）の内面に設けたセンサー部（２６）とを設け、センサー部の電磁的変位を検出部（２７）で検出し、該検出部に接続したＬＥＤ（９）及びブザー（８）はスイッチ（１０）を介してアラーム・表示部（２８）に接続してなることを特徴とする金属感知器。
【請求項２】
電源部（２１）は、ハウジング（２）内に設けた電池ボックス（１２）内に単３電池２本を直列に接続してなることを特徴とする請求項１記載の金属探知器。
【考案の詳細な説明】
【技術分野】
【０００１】
本考案は、金属探知器、特に、セキュリティーに特化したハンディータイプの金属探知器に関するものである。
【背景技術】
【０００２】
著名人や人気者等が主催する各種催し物会場に、大勢の人を集めて集会が行われることが多いが、多数の人が集まると種々の事件・事故の発生する機会が生じる。そのため、催し物会場の入口において、入場者に対して主催者の関係者が簡易な金属探知器を用いてセキュリティーチェックが行われている。しかし、多数の入場者に対してチェック作業を行うために時間がかかるようでは、混乱が生じたり、騒ぎが起こる可能性があるためチェック作業を能率的に行う必要がある。
【０００３】
セキュリティーチェックは、入場者中に紛れ込んで被服のポケット内や手荷物の内部に隠し持ったナイフやカッターなどの金属製凶器を所持した不審者を探し出すことにより、犯行を行う可能性のある人物の入場を回避し、犯行の発生を未然に防止して入場者の安全を図るものである。
【０００４】
例えば、繊維製品中に混入した金属を探知する手持式の金属探知器は、金属の有無を探知するものであって、内部に検知回路を有した手持部分と、該手持部分の先端下部にセンサー部を有し、該手持部分の表面部には金属を探知すると警報音が鳴るブザーやランプが点灯する表示灯を内部に収容したものがある（特許文献１）。
【０００５】
また、従来のハンディータイプの金属探知器は、電源として００６Ｐ角形９Ｖ電池を使用
しているが、該電池は特殊な電池であることから取り揃えている店が少なく、該電池の入手が困難であった。このように入手の困難な電池を使用することは不便であるという問題点を有していた
【先行技術文献】
【特許文献】
【０００６】
【特許文献１】実開平７−１８２９０号
【０００７】
従来のこの種の金属探知器、即ち、電源部と昇圧回路の間に保護回路としてダイオードを用いた逆電圧遮断回路を有した金属探知器を用いて大勢の入場者に対してセキュリテーテェックを行っているが、該金属探知器は短時間で電池容量が不足するため頻繁に電池交換が必要になるという欠点を有していた。
【考案の概要】
【考案が解決しようとする課題】
【０００８】
本考案は、入手困難な００６Ｐ角形９Ｖ電池を使用せずに、電池の入手が容易な単３電池（アルカリ）１．５Ｖを２本使用することで電池容量を倍近くに増やし、また、省電力動作の観点からＭＯＳ−ＦＥＴを使用した逆電圧遮断回路からなる保護回路を使用することで、金属探知器に使用する電池の持ちが長くなるようにして使い勝手を高めた利点を有するものである。
【課題を解決するための手段】
【０００９】
本考案は、前部下面に平坦な探知面３を有し、後部に設けた保持部４の下面にスライド式の電池蓋１１を有して内部に電池を収容する電池ボックス１２を有してなる合成樹脂製のハウジング２内に、ＭＯＳ−ＦＥＴを使用した逆電圧遮断回路からなる保護回路２２を有する電源部２１と前記探知面３の内面に設けたセンサー部２６とを設け、センサー部の変位を検出部２７で検出し、該検出部に接続したＬＥＤ９及びブザー８はスイッチ１０を介してアラーム・表示部２８に接続してなることを特徴とする。また、電源部２１は、ハウジング２内に設けた電池ボックス内１２内に単３電池２本を直列に接続してなることを特徴とする。
【００１０】
従来のこの種の金属探知器は、電源部２１と昇圧回路２３との間に設けた保護回路を構成している逆電圧遮断回路２４にダイオードを使用しているが、電池容量が減ると電池が使用できなくなるという欠点を有している。その上、００６Ｐ角形９Ｖ電池の入手が困難であるため、電池交換が不便であるという問題点を有していた。
【００１１】
そのため、本考案は、入手が困難な００６Ｐ角形９Ｖ電池の代わりに、入手の容易な単３電池（アルカリ）を使用することで電池容量を倍近く増やすと共に、ＭＯＳ−ＦＥＴによる逆電圧遮断回路からなる保護回路２２を使用することで、電池電圧が低くなった場合（
ダイオードでもＭＯＳ−ＦＥＴでも同電圧で電源がＯＮできたものと仮定する）、ダイオードを使用した保護回路では、電源ＯＮ後の短時間で使用できなくなるが、ＭＯＳ−ＦＥＴを使用した保護回路では電源ＯＮ後の使用時間がダイオードを使用した保護回路に比べて長持ちするという利点を有する。従来のダイオード方式の場合には、一旦ＯＮした場合でも電池の電圧降下に伴って、短時間で使用不可となるため不便であった。一般に００６Ｐ角形電池を使用するのは昇圧回路を省き、即ち、生産コストを抑えるためのものである。
【００１２】
この考案は、単３乾電池１．５Ｖ電池を２本使用することにより、ダイオードを使用した逆電圧遮断回路に比べて電池容量の減った電池を有効に利用できるＭＯＳ−ＦＥＴを使用し、電池の持ち時間を長く持たせるようにしたものである。
【図面の簡単な説明】
【００１３】
【図１】図１は金属探知器の平面図である。
【図２】図２は金属探知器の一部を省略した側面図である。
【図３】図３は金属探知器の一部省略したハウジング後部の底面図である。
【図４】図４は本考案に係る金属探知器の回路ブロックを示したものである。
【考案を実施するための形態】
【００１４】
本考案の実施形態を図面に基づいて説明すると、図１はハンディータイプの金属探知器の平面図、図２は金属探知器の後部の一部省略した側面図、図３は金属探知器の一部省略したハウジング後部の底面図、図４は金属探知器の回路を構成する回路ブロック図を示したものである。本考案に係る実施の形態を示した金属探知器１は、合成樹脂製のハウジング２の先端下面に平坦な検知面３を形成してある。このハウジング２の後部に形成した保持部４の後部に設けた取付部５には、合成皮革や皮革などの柔軟部材からなり、探知者の手首に挿通してセキュリティーチェックを行う際に、金属探知機１の保持部４を保持している場合に、うっかりして該探知器の落下を防ぐために挿通部６を有してある。
【００１５】
ハウジング２内には、図示しない探知コイルが設けられている。この検知コイルは、探知面３の下側に磁界（静磁界）を形成する。この磁界中に鉄などの金属がある場合、金属探知器１の極く僅かな移動に伴い、磁界（静磁界）内に微小な変位、即ち、電磁的変位が生じる。この探知コイルは、後述するセンサー部２６を構成する。
【００１６】
ハウジング２の上面中央には複数の細溝７を設け、ハウジングの内部に設置したブザー８のブザー音がハウジングの外部で聞き取ることができるようにしてある。９はハウジング２の内部に設置したＬＥＤ（発光ダイオード）、１０はアラーム・表示部２８を切り替え操作すると共に金属探知機の回路２０を制御するスイッチであって、中央部に位置している場合には、金属探知器１の回路をＯＦＦの状態にし、上側（先端側）に移動させると、回路がＯＮ状態になり、ＬＥＤ９はＯＮ状態になって青色に光る。
【００１７】
また、スイッチ１０を下側（後部側）に移動させると、回路２０はＯＮ状態になると共に、ＬＥＤとブザーの両方がＯＮ状態になってＬＥＤ９が青色に点灯し、また、ブザー８を有する回路もＯＮ状態になるが、金属を探知するまでは該ブザー８のブザー音は鳴らない構成になっている。
【００１８】
さらに、保持部４の後部下面には取外可能に設けた電池蓋１１の内側に設けた電池ボックス１２内に単３電池（アルカリ）１．５Ｖを直列に収容し、該電池蓋１１を後方にスライド後退させることにより開蓋して電池の交換ができるようにしてある。
【００１９】
催し物会場の入口付近において、関係者により金属探知器１を片手で持って入場者に対するセキュリティーチェックを行う場合、まず、スイッチ１０を下側に移動して回路２０をＯＮ状態にし、ＬＥＤ９及びブザー８をＯＮ状態にすると、ＬＥＤは青色に点灯し、ブザー８は金属を探知したらブザー音が鳴り、青色に表示しているＬＥＤ９は金属を探知したら赤色に変化する。
【００２０】
図４に金属探知器１の回路構成を示した。上段には電源部分、下段には金属検出部分がそれぞれ示されている。電源部分には、電池ボックス１２内に単３電池２本を収容した電源部２１と、ＭＯＳ−ＦＥＴによる逆電圧遮断回路からなる保護回路２２と、出力電圧を入口電圧より高くするスイッチングレギュレータによる昇圧回路２３と、ＭＯＳプロセス技術により消費電流の大幅な低減を実現するボルテージレギュレータによる降圧安定化回路２４を設けてある。
【００２１】
また、金属検出部分は、上記の探知コイルを含むセンサー部２６，探知コイルにおける微小な変位、即ち、電磁的変位を検出する検出部２７およびブザー８やＬＥＤ９を含むアラーム・表示部２８から構成されている。
【００２２】
金属探知２１を用いて探知する金属の有無を、センサー部２６および検出部２７で電磁的変位として検出すると、アラーム・表示部２８におけるＬＥＤ９及びブザー８が作動し、スイッチ１０が下側に位置している場合は、青色に点灯しているＬＥＤ９が赤色に変化すると共に、ブザー８が発するブザー音による警報音が鳴ることにより、金属の存在を視覚および聴覚の両面から確認することができる。ついで、金属が危険物か否かを視覚を通じて直接確認することにより、会場内にカッターやナイフなどの金属製凶器の持ち込みを防ぎ、催し物会場内における入場者の安全を図るものである。
【００２３】
以上の如く、本考案は、単３乾電池（アルカリ）１．５Ｖを２本を使用することで、電池容量を２倍近くに増し、電池電圧が低くなった場合（ダイオードでもＭＯＳ−ＦＥＴでも同電圧で電源がＯＮできたと仮定する）、ダイオードを使用した保護回路では電源ＯＮ後に短時間で使用できなくなるが、ＭＯＳ−ＦＥＴを使用した保護回路では、電源ＯＮ後の使用時間がダイオードを使用した回路に比べて長持ちするという利点を有するものである。
【符号の説明】
【００２４】
１      金属探知器
２      ハウジング
３      探知部
４      保持部
５      取付部
６      挿通部
７      切込溝
８      ブザー
９      ＬＥＤ（発光ダイオード）
１０      スイッチ
１１      電池蓋
１２      電池ボックス
２０      回路
２１      電源部
２２      保護回路
２３      昇圧回路
２４      降圧安定化回路
２６      センサー部
２７      検出部
２８      アラーム・表示部
【図１】
0003213080.tif 000003
【図２】
0003213080.tif 000004
【図３】
0003213080.tif 000005
【図４】
0003213080.tif 000006